(57)【要約】  コンテンツ提示装置（１）は、複数のコンテンツの一又は複数の特徴を夫々示す複数の特徴情報と、該複数のコンテンツ各々とユーザとが関連付けられた時点を夫々示す複数の時間情報と、に基づいて、該ユーザの嗜好の変化を推定する推定手段（１１０）と、該推定された嗜好の変化に応じて、上記複数のコンテンツとは異なる一又は複数のコンテンツを提示する提示手段（２１０）と、を備える。当該コンテンツ提示装置によれば、ユーザの嗜好の変化に応じた、特に将来の嗜好を先取りした、コンテンツをレコメンドすることができる。
2015181929.tif 000002
【特許請求の範囲】
【請求項１】
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、
前記推定された選択傾向の変化に応じて、前記複数のコンテンツとは異なる一又は複数のコンテンツを提示する提示手段と、
を備えることを特徴とするコンテンツ提示装置。
【請求項２】
前記推定手段は、
前記複数の時間情報に基づいて、前記複数の特徴情報各々により示される一又は複数の特徴の時間推移を示す時系列データを生成する生成手段を含み、
前記生成された時系列データに基づいて、前記選択傾向の変化を推定する
ことを特徴とする請求項１に記載のコンテンツ提示装置。
【請求項３】
前記推定手段は、前記生成された時系列データに基づいて、線形推定法により前記選択傾向の変化を推定することを特徴とする請求項２に記載のコンテンツ提示装置。
【請求項４】
前記ユーザとは異なる複数の他のユーザに夫々関連付けられた複数の時系列データを記憶する記憶手段を更に備え、
前記推定手段は、前記記憶された複数の時系列データのうち、前記生成された時系列データと少なくとも部分的に一致又は類似する時系列データを参照して、前記選択傾向の変化を推定する
ことを特徴とする請求項２に記載のコンテンツ提示装置。
【請求項５】
前記記憶された複数の時系列データ各々には、関連付けられた他のユーザのライフスタイルの少なくとも一部を示すライフスタイルデータが付与されており、
前記推定手段は、前記記憶された複数の時系列データのうち、前記生成された時系列データと少なくとも部分的に一致又は類似する時系列データに加え、前記ユーザのライフスタイルの少なくとも一部を示すライフスタイルデータを参照して、前記選択傾向の変化を推定する
ことを特徴とする請求項４に記載のコンテンツ提示装置。
【請求項６】
前記提示手段は、前記推定された選択傾向を補間するような前記複数のコンテンツとは異なるコンテンツ、及び前記推定された選択傾向を補外するような前記複数のコンテンツとは異なるコンテンツの少なくとも一方を提示することを特徴とする請求項１に記載のコンテンツ提示装置。
【請求項７】
前記複数のコンテンツ各々とユーザとが関連付けられた時点は、前記ユーザがコンテンツを再生した時点、又は前記ユーザがコンテンツを取得した時点であることを特徴とする請求項１に記載のコンテンツ提示装置。
【請求項８】
前記推定手段は、前記複数の特徴情報により示される一又は複数の特徴の一部の特徴と、前記複数の時間情報と、に基づいて前記選択傾向の変化を推定することを特徴とする請求項１に記載のコンテンツ提示装置。
【請求項９】
前記推定手段は、前記複数の特徴情報により示される一又は複数の特徴の時間推移、又は前記ユーザのライフスタイルの少なくとも一部を示すライフスタイルデータに基づいて、前記一又は複数の特徴から選択された前記一部の特徴と、前記複数の時間情報と、に基づいて前記選択傾向の変化を推定することを特徴とする請求項８に記載のコンテンツ提示装置。
【請求項１０】
複数のコンテンツの一又は複数の特徴を夫々示す複数の特徴情報と、前記複数のコンテンツ各々とユーザとが関連付けられた時点を夫々示す複数の時間情報と、に基づいて推定された前記ユーザの選択傾向の変化を示す推定結果を、外部から取得する取得手段と、
前記取得された推定結果に応じて、前記複数のコンテンツとは異なる一又は複数のコンテンツを提示する提示手段と、
を備えることを特徴とする端末装置。
【請求項１１】
サーバ装置及び端末装置を備え、ユーザの選択傾向の変化に応じて一又は複数のコンテンツを提示するシステムにおける前記サーバ装置であって、
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、
前記推定された選択傾向の変化を示す推定結果を、前記端末装置に送信する送信手段と、
を備えることを特徴とするサーバ装置。
【請求項１２】
コンテンツを提示するコンテンツ提示装置におけるコンテンツ提示方法であって、
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定工程と、
前記推定された選択傾向の変化に応じて、前記複数のコンテンツとは異なる一又は複数のコンテンツを提示する提示工程と、
を備えることを特徴とするコンテンツ提示方法。
【請求項１３】
コンピュータを、
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、
前記推定された選択傾向の変化に応じて、前記複数のコンテンツとは異なる一又は複数のコンテンツを提示する提示手段と、
として機能させることを特徴とするコンピュータプログラム。
【請求項１４】
請求項１３に記載のコンピュータプログラムが記録されていることを特徴とする記録媒体。
【発明の詳細な説明】
【技術分野】
【０００１】
本発明は、例えば楽曲や映像等のコンテンツをレコメンドするコンテンツ提示装置及び方法、サーバ装置、端末装置、コンピュータプログラム、並びに、該コンピュータプログラムが記録された記録媒体の技術分野に関する。
【背景技術】
【０００２】
この種の装置として、例えば、指定された複数の楽曲について所定のコード進行の登場を検出すると共に使用されている楽器種別を検出し、登場の数量に基づいて１又は２以上のコード進行を特徴的コード進行として抽出すると共に、１又は２以上の楽器種別を特徴的楽器種別として抽出し、該抽出された特徴的コード進行及び特徴的楽器種別と適合する楽曲を、ユーザにレコメンドする装置が提案されている（特許文献１参照）。
【先行技術文献】
【特許文献】
【０００３】
【特許文献１】特許第５２９６８１３号
【発明の概要】
【発明が解決しようとする課題】
【０００４】
しかしながら、上述の背景技術によれば、ユーザが指定した楽曲に類似する楽曲のみがレコメンドされ、ユーザが目新しさを覚える可能性が低いという技術的問題点がある。【０００５】
本発明は、例えば上記問題点に鑑みてなされたものであり、インテリジェントにコンテンツをレコメンドすることができるコンテンツ提示装置及び方法、サーバ装置、端末装置、コンピュータプログラム並びに記録媒体を提供することを課題とする。
【課題を解決するための手段】
【０００６】
本発明の請求項１に記載のコンテンツ提示装置は、上記課題を解決するために、複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、前記推定された選択傾向の変化に応じて、前記複数のコンテンツとは異なる一又は複数のコンテンツを提示する提示手段と、を備える。【０００７】
本発明の請求項１０に記載の端末装置は、上記課題を解決するために、複数のコンテンツの一又は複数の特徴を夫々示す複数の特徴情報と、前記複数のコンテンツ各々とユーザとが関連付けられた時点を夫々示す複数の時間情報と、に基づいて推定された前記ユーザの選択傾向の変化を示す推定結果を、外部から取得する取得手段と、前記取得された推定結果に応じて、前記複数のコンテンツとは異なる一又は複数のコンテンツを提示する提示手段と、を備える。【０００８】
本発明の請求項１１に記載のサーバ装置は、上記課題を解決するために、サーバ装置及び端末装置を備え、ユーザの選択傾向の変化に応じて一又は複数のコンテンツを提示するシステムにおける前記サーバ装置であって、複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、前記推定された選択傾向の変化を示す推定結果を、前記端末装置に送信する送信手段と、を備える。【０００９】
本発明の請求項１２に記載のコンテンツ提示方法は、上記課題を解決するために、コンテンツを提示するコンテンツ提示装置におけるコンテンツ提示方法であって、複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定工程と、前記推定された選択傾向の変化に応じて、前記複数のコンテンツとは異なる一又は複数のコンテンツを提示する提示工程と、を備える。【００１０】
本発明の請求項１３に記載のコンピュータプログラムは、上記課題を解決するために、コンピュータを、複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、前記推定された選択傾向の変化に応じて、前記複数のコンテンツとは異なる一又は複数のコンテンツを提示する提示手段と、として機能させる。【００１１】
本発明の請求項１４に記載の記録媒体は、上記課題を解決するために、上述した本発明のコンピュータプログラムが記録されている。【００１２】
本発明の作用及び他の利得は次に説明する実施するための形態から明らかにされる。
【図面の簡単な説明】
【００１３】
【図１】第１実施例に係るコンテンツ提示システムの構成を示す概略構成図である。
【図２】第１実施例に係るユーザデータベースの一例を示す図である。
【図３】第１実施例に係る時系列データの一例を示す図である。
【図４】第１実施例に係るユーザ嗜好推定方法の概念を示す概念図である。
【図５】第１実施例の変形例に係るユーザ嗜好推定方法の概念を示す概念図である。
【図６】第２実施例に係るユーザ嗜好推定方法の概念を示す概念図である。
【図７】他のユーザの時系列データの一例を示す図である。
【図８】他の複数のユーザ各々の時系列データの一例を示す図である。
【発明を実施するための形態】
【００１４】
本発明のコンテンツ提示装置等に係る実施形態について説明する。
【００１５】
（コンテンツ提示装置）
実施形態に係るコンテンツ提示装置は、複数のコンテンツの一又は複数の特徴を夫々示す複数の特徴情報と、該複数のコンテンツ各々とユーザとが関連付けられた時点を夫々示す複数の時間情報と、に基づいて、該ユーザの選択傾向の変化を推定する推定手段と、該推定された選択傾向の変化に応じて、上記複数のコンテンツとは異なる一又は複数のコンテンツを提示する提示手段と、を備える。
【００１６】
特徴情報は、例えば楽曲、映像等である一のコンテンツの、例えばテンポ、キー、ジャンル等である一又は複数の特徴を示す情報である。つまり、複数の特徴情報各々は、対応するコンテンツに係る一又は複数の特徴を示す情報である。
【００１７】
時間情報は、上記一のコンテンツと、当該コンテンツ提示装置のユーザとが関連付けられた時点を示す情報である。このような時間情報は、例えば該ユーザの購入履歴、再生履歴等から取得すればよい。具体的には例えば、オンラインショップの購入履歴又はパーソナルコンピュータにおける再生履歴が用いられる場合、ログインアカウントによりユーザを特定した上で、購入履歴又は再生履歴から時間情報を構築すればよい。或いは例えば、モバイル端末における再生履歴が用いられる場合、該モバイル端末が一のユーザのみにより用いられるとみなして、再生履歴から時間情報を構築すればよい。
【００１８】
例えばメモリ、プロセッサ等を備えてなる推定手段は、複数の特徴情報と複数の時間情報とに基づいて、ユーザの選択傾向の変化（言い換えれば、ユーザの嗜好の変化）を推定する。上述の如く、複数のコンテンツ各々について、特徴情報及び時間情報が存在するので、例えば、時間情報に基づいて、特徴情報により示される一又は複数の特徴の少なくとも一部の時間変化を求めれば、比較的容易にして、ユーザの選択傾向の変化を推定することができる。
【００１９】
例えばメモリ、プロセッサ等を備えてなる提示手段は、推定された選択傾向の変化に応じて、該選択傾向の変化の推定に用いられた複数のコンテンツとは異なる一又は複数のコンテンツを、ユーザに提示する。
【００２０】
ここで、本願発明者の研究によれば以下の事項が判明している。即ち、例えば、（ｉ）一のユーザの性別、年齢等を含む属性データに基づいて、同一属性データが関連付けられた他のユーザが試聴又は購入したコンテンツを、該一のユーザに提示する技術、（ｉｉ）一のユーザが試聴又は購入したコンテンツを試聴又は購入した他のユーザが、試聴又は購入したコンテンツのうち該一のユーザが試聴及び購入していないコンテンツを、該一のユーザに提示する技術、（ｉｉｉ）一のユーザが試聴又は購入したコンテンツに係る特徴と類似の特徴を有するコンテンツを、該一のユーザに提示する技術、等が提案されている。
【００２１】
しかしながら、（ｉ）及び（ｉｉ）の技術では、提示されたコンテンツがユーザの嗜好と一致するとは限らないという問題がある。また、（ｉｉｉ）の技術では、ユーザがこれまで試聴又は購入したコンテンツに類似するコンテンツばかりが提示されるので、ユーザが目新しさを覚える可能性が低い（つまり、ユーザが飽きてしまう可能性がある）という問題がある。特に、ユーザの嗜好は時間と共に変化するが、（ｉ）〜（ｉｉｉ）の技術では、ユーザの嗜好の変化に対応することができないという問題がある。
【００２２】
本実施形態では、上述の如く、推定手段により、複数の特徴情報と複数の時間情報とに基づいて、ユーザの選択傾向の変化が推定され、該推定された選択傾向の変化に応じて、一又は複数のコンテンツがユーザに提示される。
【００２３】
このため、本実施形態に係るコンテンツ提示装置によれば、ユーザに提示されたコンテンツの特徴が、該ユーザがこれまで試聴又は購入したコンテンツの特徴と大なり小なり異なっていたとしても、推定されたユーザの選択傾向の変化（嗜好の変化）に応じたコンテンツが提示されるので、ユーザの嗜好と一致する可能性が高い。当該コンテンツ提示装置によれば、特に、推定されたユーザの選択傾向の変化（嗜好の変化）に応じて、該ユーザが将来興味を持つ又は好むであろうコンテンツを提示することができる。
【００２４】
以上の結果、本実施形態に係るコンテンツ提示装置によれば、インテリジェントにコンテンツをレコメンドすることができる。
【００２５】
本実施形態に係るコンテンツ提示装置の一態様では、推定手段は、複数の時間情報に基づいて、複数の特徴情報各々により示される一又は複数の特徴の時間推移を示す時系列データを生成する生成手段を含み、該生成された時系列データに基づいて、ユーザの選択傾向の変化を推定する。
【００２６】
この態様によれば、比較的容易にして、ユーザの選択傾向の変化を推定することができ、実用上非常に有利である。
【００２７】
この態様では、推定手段は、生成された時系列データに基づいて、線形推定法によりユーザの選択傾向の変化を推定してよい。
【００２８】
このように構成すれば、推定された選択傾向の変化に応じて、特に、ユーザが将来興味を持つ又は好むであろうコンテンツを、比較的容易に提示することができ、実用上非常に有利である。
【００２９】
或いは、この態様にでは、一のユーザとは異なる複数の他のユーザに夫々関連付けられた複数の時系列データを記憶する記憶手段を更に備え、推定手段は、該記憶された複数の時系列データのうち、生成された該一のユーザに係る時系列データと少なくとも部分的に一致又は類似する時系列データを参照して、該一のユーザの選択傾向の変化を推定してよい。
【００３０】
このように構成すれば、特に、一のユーザが将来興味を持つ又は好むであろうコンテンツを、比較的容易に提示することができ、実用上非常に有利である。
【００３１】
尚、この態様では、一のユーザに係る時系列データと少なくとも部分的に一致又は類似する他のユーザに係る時系列データが参照されるので、上述した（ｉ）及び（ｉｉ）の技術とは異なり、該一のユーザの嗜好に近いコンテンツが提示されることが期待できる。
【００３２】
他のユーザに係る時系列データを参照する態様では、記憶された複数の時系列データ各々には、関連付けられた他のユーザのライフスタイルの少なくとも一部を示すライフスタイルデータが付与されており、推定手段は、該記憶された複数の時系列データのうち、生成された一のユーザに係る時系列データと少なくとも部分的に一致又は類似する時系列データに加え、該一のユーザのライフスタイルの少なくとも一部を示すライフスタイルデータを参照して、該一のユーザの選択傾向の変化を推定してよい。
【００３３】
この態様によれば、一のユーザの嗜好により適したコンテンツを提示することができ、実用上非常に有利である。
【００３４】
本実施形態に係るコンテンツ提示装置の他の態様では、提示手段は、推定された選択傾向を補間するような、選択傾向の変化の推定に用いられた複数のコンテンツとは異なるコンテンツ、及び推定された選択傾向を補外するような該選択傾向の変化の推定に用いられた複数のコンテンツとは異なるコンテンツの少なくとも一方を提示する。
【００３５】
この態様によれば、ユーザの選択傾向の変化（嗜好の変化）に沿いつつも、該ユーザがこれまで試聴又は購入したコンテンツの特徴と大なり小なり異なるコンテンツを、該ユーザに提示することができ、実用上非常に有利である。
【００３６】
本実施形態に係るコンテンツ提示装置の他の態様では、複数のコンテンツ各々とユーザとが関連付けられた時点は、該ユーザがコンテンツを再生した時点、又は該ユーザがコンテンツを取得した時点である。
【００３７】
この態様によれば、比較的容易にして時間情報を取得することができ、実用上非常に有利である。
【００３８】
本実施形態に係るコンテンツ提示装置の他の態様では、推定手段は、複数の特徴情報により示される一又は複数の特徴の一部の特徴と、複数の時間情報と、に基づいてユーザの選択傾向の変化を推定する。
【００３９】
この態様によれば、例えば不規則な時間変化を示す特徴等のノイズとなる可能性が高い特徴を除外してユーザの選択傾向の変化（嗜好の変化）を推定することにより、ユーザの嗜好により適したコンテンツを提示することができる。或いは、例えば時間変化の比較的小さい特徴（つまり、ユーザが強いこだわりをもっている特徴）を特定して、該特定された特徴を固定することにより、ユーザの嗜好により適したコンテンツを提示することができる。
【００４０】
この態様では、推定手段は、複数の特徴情報により示される一又は複数の特徴の時間推移、又はユーザのライフスタイルの少なくとも一部を示すライフスタイルデータに基づいて、該一又は複数の特徴から選択された一部の特徴と、複数の時間情報と、に基づいて選択傾向の変化を推定してよい。
【００４１】
このように構成すれば、上記一部の特徴を比較的容易に選択することができ、実用上非常に有利である。
【００４２】
（端末装置）
実施形態に係る端末装置は、複数のコンテンツの一又は複数の特徴を夫々示す複数の特徴情報と、該複数のコンテンツ各々とユーザとが関連付けられた時点を夫々示す複数の時間情報と、に基づいて推定された該ユーザの選択傾向の変化を示す推定結果を、外部から取得する取得手段と、該取得された推定結果に応じて、上記複数のコンテンツとは異なる一又は複数のコンテンツを提示する提示手段と、を備える。
【００４３】
本実施形態に係る端末装置によれば、上述した実施形態に係るコンテンツ提示装置と同様に、インテリジェントにコンテンツをレコメンドすることができる。尚、本実施形態に係る端末装置においても、上述した実施形態に係るコンテンツ提示装置の各種態様と同様の各種態様を採ることができる。
【００４４】
（サーバ装置）
実施形態に係るサーバ装置は、サーバ装置及び端末装置を備え、ユーザの選択傾向の変化に応じて一又は複数のコンテンツを提示するシステムにおけるサーバ装置である。当該サーバ装置は、複数のコンテンツの一又は複数の特徴を夫々示す複数の特徴情報と、該複数のコンテンツ各々とユーザとが関連付けられた時点を夫々示す複数の時間情報と、に基づいて、上記ユーザの選択傾向の変化を推定する推定手段と、該推定された選択傾向の変化を示す推定結果を、端末装置に送信する送信手段と、を備える。
【００４５】
本実施形態に係るサーバ装置によれば、上述した実施形態に係るコンテンツ提示装置と同様に、インテリジェントにコンテンツをレコメンドすることができる。尚、本実施形態に係るサーバ装置においても、上述した実施形態に係るコンテンツ提示装置の各種態様と同様の各種態様を採ることができる。
【００４６】
（コンテンツ提示方法）
実施形態に係るコンテンツ提示方法は、コンテンツを提示するコンテンツ提示装置におけるコンテンツ提示方法である。当該コンテンツ提示方法は、複数のコンテンツの一又は複数の特徴を夫々示す複数の特徴情報と、該複数のコンテンツ各々とユーザとが関連付けられた時点を夫々示す複数の時間情報と、に基づいて、上記ユーザの選択傾向の変化を推定する推定工程と、該推定された選択傾向の変化に応じて、上記複数のコンテンツとは異なる一又は複数のコンテンツを提示する提示工程と、を備える。
【００４７】
本実施形態に係るコンテンツ提示方法によれば、上述した実施形態に係るコンテンツ提示装置と同様に、インテリジェントにコンテンツをレコメンドすることができる。尚、本実施形態に係るコンテンツ提示方法においても、上述した実施形態に係るコンテンツ提示装置の各種態様と同様の各種態様を採ることができる。
【００４８】
（コンピュータプログラム）
実施形態に係るコンピュータプログラムは、コンピュータを、複数のコンテンツの一又は複数の特徴を夫々示す複数の特徴情報と、該複数のコンテンツ各々とユーザとが関連付けられた時点を夫々示す複数の時間情報と、に基づいて、上記ユーザの選択傾向の変化を推定する推定手段と、該推定された選択傾向の変化に応じて、上記複数のコンテンツとは異なる一又は複数のコンテンツを提示する提示手段と、として機能させる。
【００４９】
実施形態に係るコンピュータプログラムによれば、当該コンピュータプログラムを格納するＲＡＭ（Ｒａｎｄｏｍ  Ａｃｃｅｓｓ  Ｍｅｍｏｒｙ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ−ＲＯＭ（ＤＶＤ  Ｒｅａｄ  Ｏｎｌｙ  Ｍｅｍｏｒｙ）等の記録媒体から、当該コンピュータプログラムを、コンテンツ提示装置に備えられたコンピュータに読み込んで実行させれば、或いは、当該コンピュータプログラムを、通信手段を介してダウンロードさせた後に実行させれば、上述した実施形態に係るコンテンツ提示装置を比較的容易にして実現できる。これにより、上述した実施形態に係るコンテンツ提示装置と同様に、インテリジェントにコンテンツをレコメンドすることができる。
【００５０】
上記、実施形態に係るコンピュータプログラムが格納されたＣＤ−ＲＯＭ、ＤＶＤ−ＲＯＭ等が、本発明の記録媒体に係る実施形態の一例である。
【実施例】
【００５１】
本発明のコンテンツ提示装置に係る実施例を、図面に基づいて説明する。以下の実施例では、ネットワークに収容されたサーバ装置及び端末装置を備えてなるシステムを、本発明のコンテンツ提示装置の一例として挙げる。【００５２】
＜第１実施例＞
本発明のコンテンツ提示装置に係る第１実施例について、図１乃至図４を参照して説明する。【００５３】
先ず、本実施例に係るコンテンツ提示システムの構成について、図１を参照して説明する。図１は、第１実施例に係るコンテンツ提示システムの構成を示す概略構成図である。【００５４】
図１において、コンテンツ提示システム１は、サーバ装置１０及び端末装置２０が、共にネットワーク３０に収容されてなるシステムである。ネットワーク３０は、例えばインターネット等の広域ネットワーク、及び、例えばＬＡＮ（Ｌｏｃａｌ  Ａｒｅａ  Ｎｅｔｗｏｒｋ）等の狭域ネットワークから構成されている。【００５５】
サーバ装置１０は、推定部１１０及び通信部１２０を有していると共に、コンテンツデータベース２及びユーザデータベース３各々にアクセス可能に構成されている。尚、コンテンツデータベース２及びユーザデータベース３各々は、サーバ装置１０の一部として構成されていてもよいし、該サーバ１０とは異なる装置として構成されていてもよい。【００５６】
ここで、コンテンツデータベース２は、複数のコンテンツ各々に関するコンテンツ情報により構成されている。具体的には例えば、コンテンツが楽曲の場合、コンテンツ情報には、タイトル、アーティスト名、発売年月日、価格等が含まれる。本実施例では特に、コンテンツ情報には、例えばテンポ、キー、コード等のコンテンツの特徴量を示す特徴情報が含まれている。【００５７】
尚、特徴情報には、例えばジャズ、ロック、ブルース等のジャンルを示す情報が含まれていてよい。この場合、例えば“ジャズ＝１”、“ロック＝２”等と、ジャンル名を数値に置き換えて扱えばよい。コンテンツデータベース２には、典型的には、コンテンツそのものは含まれていないが、コンテンツそのものが含まれていてもよい。【００５８】
ユーザデータベース３は、例えば図２に示すように、複数のユーザ各々が購入又は視聴したコンテンツを示す履歴情報により構成されている。本実施例では特に、コンテンツ毎に、該コンテンツに係る特徴情報と、該コンテンツをユーザが購入又は視聴した時刻を示す時間情報と、が付与されている（図２参照）。【００５９】
尚、時間情報が、ユーザがコンテンツを視聴した時刻を示す場合、同一コンテンツが同一ユーザにより再度視聴された際、新たな時間情報が生成（即ち、新たな履歴情報が生成）されてもよいし、既に存在する時間情報が更新されてもよい。【００６０】
例えばパーソナルコンピュータ、タブレット端末、スマートフォン等である端末装置２０は、提示部２１０及び通信部２２０を有している。一のユーザが、端末装置２０を用いて、コンテンツを購入又は視聴する度に、ユーザデータベース３における該一のユーザに関する情報が更新される。【００６１】
次に、コンテンツ提示システム１におけるコンテンツの提示（例えばレコメンド）処理について、図３及び図４を参照して説明する。【００６２】
一のユーザが、端末装置２０を用いてサーバ装置１０にアクセスした場合、該サーバ装置１０の推定部１１０は、ユーザデータベース３から、該一のユーザに係る履歴情報（例えば、購入履歴、再生履歴等）を取得する。【００６３】
推定部１１０は、取得された履歴情報に含まれる複数のコンテンツ各々に付与された特徴情報及び時間情報に基づいて、一のユーザに係るコンテンツの時系列データを生成する。具体的には例えば、図３に示すように、コンテンツに係る特徴量１及び特徴量２各々を軸とする空間上に、複数のコンテンツ各々に付与された特徴情報を参照して、該複数のコンテンツ（各々を示す点）を配置する。尚、各コンテンツが配置される空間は、３以上の特徴量各々を軸とした空間であってもよい。【００６４】
次に、推定部１１０は、複数のコンテンツが配置された空間において、各コンテンツに付与された時間情報（図３における“ｔ１”〜“ｔ４”）を参照して、本発明に係る「選択傾向の変化」の一例としての、特徴量の時間推移を推定する。この特徴量の時間推移は、一のユーザの嗜好の変化を表しているとみなすことができる。【００６５】
具体的には、推定部１１０は、各コンテンツに係る特徴量に基づいて、例えば図４に示すような、一のユーザの特徴量の時間推移を示す近似曲線（下記式に対応）を求める。【００６６】
【数１】
2015181929.tif 000003
この際、推定部１１０は、ｎ番目に取得されたコンテンツに係る特徴量（上記式における“真の値”）と、予測されたｎ番目のコンテンツに係る特徴量（上記式における“予測値”）と、の誤差ｅ（ｎ）（図４、下記式参照）が最小となるように、予測係数ａｉ（ｉ＝１，…，Ｎ）を決定する。【００６７】
【数２】
2015181929.tif 000004
次に、推定部１１０は、最も新しい時間情報（図４では“点ｔ４”に対応するコンテンツに付与された時間情報）と、現在時刻との時間差を考慮して、例えば時間差が比較的小さい場合、求められた近似曲線上の、最も新しい時間情報が付与されたコンテンツに対応する点に近い点（図４における“レコメンドａ”参照）を、一のユーザの嗜好（選択傾向）を示す点（特徴量）として推定する。他方、時間差が比較的大きい場合、推定部１１０は、求められた近似曲線上の、最も新しい時間情報が付与されたコンテンツに対応する点から離れた点（図４における“レコメンドｂ”参照）を、一のユーザの嗜好を示す点として推定する。【００６８】
サーバ装置１０は、推定部１１０により推定された特徴量を有する一又は複数のコンテンツを、コンテンツデータベース２から抽出し、抽出された一又は複数のコンテンツに関するコンテンツ情報を、ネットワーク３０を介して、端末装置２０に送信する。【００６９】
端末装置２０の提示部２１０は、受信したコンテンツ情報を、例えば表示画面（図示せず）上に表示する。【００７０】
このように、コンテンツ提示システム１によれば、ユーザの過去のコンテンツ購入又は視聴履歴情報から、該ユーザの嗜好の変化を推定することによって、該ユーザの現在又は将来の嗜好に沿ったコンテンツを提示することができる。【００７１】
尚、時系列データが生成される際に用いられる特徴量が、ユーザにより予め設定されてもよい。このように構成すれば、ユーザが重視する特徴量が反映されたコンテンツを、該ユーザに提示することができ、実用上非常に有利である。【００７２】
或いは、各特徴量の時間推移から、ユーザが重視する特徴量が自動的に推定されてもよい。この場合、不規則な時間推移をする特徴量については、ユーザが重要視していないものとして、時系列データが生成される際の特徴量から除外されてもよい（言い換えれば、特徴情報に含まれる複数の特徴量のうち一部の特徴量を用いて時系列データが生成されてもよい）。【００７３】
本実施例に係る「推定部１１０」、「提示部２１０」、「通信部１２０」及び「通信部２２０」は、夫々、本発明に係る「推定手段」、「提示手段」、「送信手段」及び「取得手段」の一例である。【００７４】
＜変形例＞
次に、第１実施例のコンテンツ提示システム１の変形例について、図５を参照して説明する。【００７５】
本変形例では、推定部１１０は、求められた近似曲線上において、ユーザの嗜好の変化を補間するような点（図５における“レコメンドｃ”参照）を、該ユーザの嗜好を示す点として推定する。或いは、推定部１１０は、求められた近似曲線上において、最も古い時間情報が付与されたコンテンツに対応する点（図５における“ｔ１”参照）よりも、例えば特徴量１が小さい点（図５における“レコメンドｄ”参照）を、ユーザの嗜好を示す点として推定する。【００７６】
＜第２実施例＞
本発明のコンテンツ提示装置に係る第２実施例について、図６及び図７を参照して説明する。第２実施例では、ユーザ嗜好の推定方法が異なる以外は、上述した第１実施例と同様である。よって、第２実施例について、第１実施例と重複する説明を省略すると共に、図面上における共通箇所には同一符号を付して示し、基本的に異なる点についてのみ、図６及び図７を参照して説明する。【００７７】
本実施例では、ユーザデータベース３に、各ユーザに係る履歴情報に含まれる複数のコンテンツ各々に付与された特徴情報及び時間情報に基づいて、コンテンツの時系列データが予め生成され格納されているものとする。【００７８】
サーバ装置１０の推定部１１０は、一のユーザに係る時系列データと少なくとも部分的に一致又は類似する、他のユーザに係る時系列データをユーザデータベース３から抽出する。【００７９】
具体的には例えば、一のユーザに係る時系列データが図６のようであった場合、推定部１１０は、例えば図７に示すような他のユーザに係る時系列データを抽出する（図７における点線円で囲んだ部分が、一のユーザに係る時系列データに一致又は類似する）。【００８０】
推定部１１０は、一のユーザに係る時系列データの最も新しい時間情報が付与された点（図６における“ｔ４”参照）に対応する、抽出された他のユーザに係る時系列データにおける点（図７における“ｎ＋４”参照）の次の点（図７における“ｎ＋５”参照）により示される特徴量を、一のユーザの嗜好を示すものとする（図６における“レコメンド”参照）。【００８１】
本実施例に係る「ユーザデータベース３」は、本発明に係る「記憶手段」の一例である。【００８２】
＜変形例＞
次に、第２実施例のコンテンツ提示システム１の変形例について、図８を参照して説明する。【００８３】
本変形例では、ユーザデータベース３に、各ユーザのライフスタイルを示すライフスタイルデータ（例えば年齢、性別、職業、趣味、配偶者の有無、子供の有無、等）が格納されている。【００８４】
一のユーザに係る時系列データと少なくとも部分的に一致又は類似する、他のユーザに係る時系列データが複数個抽出された場合、推定部１１０は、一のユーザに係るライフスタイルデータに最も近いライフスタイルデータと関連付けられた他のユーザに係る時系列データに基づいて、該一のユーザの嗜好を推定する。【００８５】
具体的には例えば、他のユーザに係る時系列データとして、図８（ａ）〜（ｃ）に示す３つの時系列データが抽出されたとする。一のユーザが、３０歳の独身男性である場合、推定部１１０は、ユーザＰに係る時系列データに基づいて、該一のユーザの嗜好を推定する。【００８６】
このように構成すれば、一のユーザにより適切なコンテンツを提示することができ、実用上非常に有利である。【００８７】
尚、一のユーザに係るライフスタイルデータに基づいて、時系列データが生成される際に用いられる特徴量が設定又は重み付けされてもよい。具体的には例えば、スポーツを趣味としているユーザであれば、テンポやスピード感が、時系列データが生成される際の特徴量として優先的に選択される。或いは、例えば既婚で子供がいるユーザであれば、メロディや歌詞の特徴が、時系列データが生成される際の特徴量として優先的に選択される。【００８８】
本発明は、上述した実施形態に限られるものではなく、請求の範囲及び明細書全体から読み取れる発明の要旨或いは思想に反しない範囲で適宜変更可能であり、そのような変更を伴うコンテンツ提示装置及び方法、サーバ装置、端末装置、コンピュータプログラム並びに記録媒体もまた本発明の技術的範囲に含まれるものである。
【符号の説明】
【００８９】
１…コンテンツ提示システム、２…コンテンツデータベース、３…ユーザデータベース、１０…サーバ装置、２０…端末装置、３０…ネットワーク、１１０…推定部、１２０、２２０…通信部、２１０…提示部
【図１】
2015181929.tif 000005
【図２】
2015181929.tif 000006
【図３】
2015181929.tif 000007
【図４】
2015181929.tif 000008
【図５】
2015181929.tif 000009
【図６】
2015181929.tif 000010
【図７】
2015181929.tif 000011
【図８】
2015181929.tif 000012
【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、
前記推定された選択傾向の変化に応じて、前記複数のコンテンツとは異なるコンテンツであり、前記推定された選択傾向を補間するようなコンテンツ、及び前記推定された選択傾向を補外するようなコンテンツの少なくとも一方を提示する提示手段と、
を備えることを特徴とするコンテンツ提示装置。
【請求項２】
前記推定手段は、
前記複数の時間情報に基づいて、前記複数の特徴情報各々により示される一又は複数の特徴の時間推移を示す時系列データを生成する生成手段を含み、
前記生成された時系列データに基づいて、前記選択傾向の変化を推定する
ことを特徴とする請求項１に記載のコンテンツ提示装置。
【請求項３】
前記推定手段は、前記生成された時系列データに基づいて、線形推定法により前記選択傾向の変化を推定することを特徴とする請求項２に記載のコンテンツ提示装置。
【請求項４】
前記ユーザとは異なる複数の他のユーザに夫々関連付けられた複数の時系列データを記憶する記憶手段を更に備え、
前記推定手段は、前記記憶された複数の時系列データのうち、前記生成された時系列データと少なくとも部分的に一致又は類似する時系列データを参照して、前記選択傾向の変化を推定する
ことを特徴とする請求項２又は３に記載のコンテンツ提示装置。
【請求項５】
前記記憶された複数の時系列データ各々には、関連付けられた他のユーザのライフスタイルの少なくとも一部を示すライフスタイルデータが付与されており、
前記推定手段は、前記記憶された複数の時系列データのうち、前記生成された時系列データと少なくとも部分的に一致又は類似する時系列データに加え、前記ユーザのライフスタイルの少なくとも一部を示すライフスタイルデータを参照して、前記選択傾向の変化を推定する
ことを特徴とする請求項４に記載のコンテンツ提示装置。
【請求項６】
前記複数のコンテンツ各々とユーザとが関連付けられた時点は、前記ユーザがコンテンツを再生した時点、又は前記ユーザがコンテンツを取得した時点であることを特徴とする請求項１乃至５のいずれか一項に記載のコンテンツ提示装置。
【請求項７】
前記推定手段は、前記複数の特徴情報により示される一又は複数の特徴の一部の特徴と、前記複数の時間情報と、に基づいて前記選択傾向の変化を推定することを特徴とする請求項１乃至６のいずれか一項に記載のコンテンツ提示装置。
【請求項８】
前記推定手段は、前記複数の特徴情報により示される一又は複数の特徴の時間推移、又は前記ユーザのライフスタイルの少なくとも一部を示すライフスタイルデータに基づいて、前記一又は複数の特徴から選択された前記一部の特徴と、前記複数の時間情報と、に基づいて前記選択傾向の変化を推定することを特徴とする請求項７に記載のコンテンツ提示装置。
【請求項９】
複数のコンテンツの一又は複数の特徴を夫々示す複数の特徴情報と、前記複数のコンテンツ各々とユーザとが関連付けられた時点を夫々示す複数の時間情報と、に基づいて推定された前記ユーザの選択傾向の変化を示す推定結果を、外部から取得する取得手段と、
前記取得された推定結果に応じて、前記複数のコンテンツとは異なるコンテンツであり、前記推定された選択傾向を補間するようなコンテンツ、及び前記推定された選択傾向を補外するようなコンテンツの少なくとも一方を提示する提示手段と、
を備えることを特徴とする端末装置。
【請求項１０】
サーバ装置及び端末装置を備え、ユーザの選択傾向の変化に応じて一又は複数のコンテンツを提示するシステムにおける前記サーバ装置であって、
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、
前記推定された選択傾向の変化を示す推定結果を、前記端末装置に送信する送信手段と、
を備えることを特徴とするサーバ装置。
【請求項１１】
コンテンツを提示するコンテンツ提示装置におけるコンテンツ提示方法であって、
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定工程と、
前記推定された選択傾向の変化に応じて、前記複数のコンテンツとは異なるコンテンツであり、前記推定された選択傾向を補間するようなコンテンツ、及び前記推定された選択傾向を補外するようなコンテンツの少なくとも一方を提示する提示工程と、
を備えることを特徴とするコンテンツ提示方法。
【請求項１２】
コンピュータを、
複数のコンテンツの一又は複数の特徴を夫々示す複数の特徴情報と、前記複数のコンテンツ各々とユーザとが関連付けられた時点を夫々示す複数の時間情報と、に基づいて、前記ユーザの選択傾向の変化を推定する推定手段と、
前記推定された選択傾向の変化に応じて、前記複数のコンテンツとは異なるコンテンツであり、前記推定された選択傾向を補間するようなコンテンツ、及び前記推定された選択傾向を補外するようなコンテンツの少なくとも一方を提示する提示手段と、
として機能させることを特徴とするコンピュータプログラム。
【請求項１３】
請求項１２に記載のコンピュータプログラムが記録されていることを特徴とする記録媒体。
【国際調査報告】
2015181929.tif 000013
2015181929.tif 000014
2015181929.tif 000015